(57)【要約】【課題】鍋本体と蓋体との嵌合部分を若干異なる位置に取付をしても、スムーズに嵌挿し正常な位置に嵌合される構造とした圧力鍋を提供する。【解決手段】取手９の間にバンド部１０を介在し、取手９以外の部位に形成する高温高圧蒸気を排出する貫通孔１２を遮蔽又は合致する小孔１３と大径孔１４とつまみ１５とを有し、スライド自在で高温高圧蒸気によっても離脱せず嵌挿可能な圧力調整板ｄを表面部８に形成する厚み十分な木製蓋体ｂとを別設し、バンド部１０の両端部に、緊締体ｅ下端部１５を接続し、緊締体ｅの稍上方部に接続体ｆの上方部１６を接続し、接続体ｆの下方部１７は鍋本体ａの引掛け部３に引掛可能な形状の係止部１８を形成し、鍋本体ａの開口部４に木製蓋体ｂを載置して木製蓋体ｂの嵌挿部７を鍋本体ａの湾曲状の縁部５に嵌挿し、取手９間に介在のバンド部１０と接続する緊締体ｅと接続体ｆを介して鍋本体ａと木製蓋体ｂとを密閉し炊飯する。【選択図】       図１
2010178791.tif 000002
【特許請求の範囲】
【請求項１】
周壁面部につまみ部及び引掛け部を取着する有底形状にして、且開口部を有する金属製鍋本体と、裏面部に前記鍋本体の開口部を構成する湾曲状の縁部が嵌挿する嵌挿部を形成し、且表面部に突設する取手の間にバンド部を介在せしめ、前記取手以外の部位に形成する高温高圧蒸気を排出する貫通孔を遮蔽もしくは合致する小孔と大径孔とつまみ部とを有し、且スライド自在にして高温高圧蒸気によっても容易に離脱しない方式で嵌挿可能な圧力調整板を表面部に形成せしめる厚みが十分な木製蓋体と、前記バンド部の両端部に、緊締体の下端部を接続し、且前記緊締体の稍上方部に接続体の上方部とを接続し、且前記接続体の下方部は前記鍋本体の引掛け部に引掛可能な形状の係止部を形成し、前記鍋本体の湾曲状の開口部に前記木製蓋体を載置して前記木製蓋体の嵌挿部を前記鍋本体の縁部に嵌挿せしめ、前記取手間に介在のバンド部と接続する緊締体と接続体を介して前記鍋本体と木製蓋体とを密閉し炊飯等をすることを特徴とする圧力鍋。
【請求項２】
前記周壁面部に取着の引掛け部は、前記つまみ部の上方に位置せしめることを特徴とする請求項１に記載の圧力鍋。
【請求項３】
前記木製蓋体は堅くて強く且型くずれしない性質を有する欅材もしくは樫材を主として使用することを特徴とする請求項１又は同２に記載の圧力鍋。
【請求項４】
前記木製蓋体の裏面部に形成する嵌挿部は、稍逆Ｖ形状もしくは稍逆Ｕ形状もしくはП形状とすることを特徴とする請求項１又は同２又は同３に記載の圧力鍋。
【請求項５】
前記木製蓋体の裏面部に形成する嵌挿部は、断面形状が稍逆Ｕ形状にして、且Ｕ形状の中、外側方の長さを内側方の長さよりも短く形成せしめることを特徴とする請求項１又は同２又は同３又は同４に記載の圧力鍋。
【請求項６】
前記取手は、平行状に所定の間隔を設け２枚立設すると共に、前記２枚の取手の側壁部に所定間隔おきに貫通孔を同一の高さにして、且対向状に形成し、前記貫通孔内に押え杆を出入自在に挿入し、前記バンド部の上面を押えることを特徴とする請求項１又は同２又は同３又は同４又は同５に記載の圧力鍋。
【請求項７】
前記バンド部は、薄い金属板製とすることを特徴とする請求項１又は同２又は同３又は同４又は同５又は同６に記載の圧力鍋。
【請求項８】
前記安全装置は、前記木製蓋体に形成する排出孔を遮蔽するキャップと前記キャップを押圧する押圧弁と鎖付き固定部とからなる安全装置を有し、前記固定部を前記蓋体の表面部に取着せしめることを特徴とする請求項１又は同２又は同３又は同４又は同５又は同６又は同７に記載の圧力鍋。
【請求項９】
前記圧力調整板は、前記蓋体の表面部に突設の取手に対し直交状に形成する蟻溝内にスライド可能にすることを特徴とする請求項１又は同２又は同３又は同４又は同５又は同６又は同７又は同８に記載の圧力鍋。
【請求項１０】
前記圧力調整板は、裏面部に内側方にくぼせた凹部を形成せしめることを特徴とする請求項１又は同２又は同３又は同４又は同５又は同６又は同７又は同８又は同９に記載の圧力鍋。
【請求項１１】
前記接続体を接続する前記緊締体は、前記鍋本体と前記蓋体との密閉時に前記緊締体が前記バンド部の表面部に密着状態となすことを特徴とする請求項１又は同２又は同３又は同４又は同５又は同６又は同７又は同８又は同９又は同１０に記載の圧力鍋。
【請求項１２】
前記バンド部は、裏面部に所定間隔をおいて突起部を形成し、前記木製蓋体の表面部に前記突起部が嵌挿する凹部を形成し、前記木製蓋体と前記バンド部とを接続し固定せしめることを特徴とする請求項１又は同２又は同３又は同４又は同５又は同６又は同７又は同８又は同９又は同１０又は同１１に記載の圧力鍋。
【発明の詳細な説明】
【技術分野】
【０００１】
本発明は、蓋体が木製の圧力鍋の技術分野に関するものである。
【背景技術】
【０００２】
従来、日本人は、大昔の大家族時代または豪農に大勢の小作人や使用人が働いていた時代には、必然的に大釜で木を燃やしながら大量にご飯を炊いていた。
【０００３】
そのため、前記のように大釜で大量に炊くことからして出来上ったご飯は美味しいと思い込んでいた。
【０００４】
そもそも圧力鍋の発明は、ヨーロッパのドイツで発明されたと聞いている。
【０００５】
しかし、日本ではそれ以前に圧力鍋は存在していた。
【０００６】
即ち前記のように大釜でご飯を炊き上げる状態を考えてみると、「どっこいしょ」と重量のある木製蓋を鍋本体の開口部上に載置し炊飯する大釜こそは圧力鍋と同じ原理であった。
【０００７】
さらに前記釜はかまどにかけられ薪をどんどんくべ、始めちょろちょろ中ぱっぱと云うように火力が十分になると重い蓋の下から蒸気が勢い良く噴出し、しかし前記釜に載置していた重い蓋を横に動揺する程にはならず、頃合いを見て前記蓋を少し移動して蒸気を外部に漏出してやる。やがて蓋を閉じ、火の付いた薪を外に出し圧力で蒸してやる。
【０００８】
昔はコシヒカリなどの上級の米は無かったが、圧力鍋の原理で炊き上がったご飯は究極のご飯であった。
【０００９】
家庭用の炊飯器は、この昔の釜の原理に理想をおいて開発されてきたものであり、単に蓋の部分を木で作れば解決とは決してならないものである。
【００１０】
さらに、鍋本体と蓋の結合部分の開発、無理なく誰でも、多少違った取付をしても正常な位置に結合される状態でなければ美味しいご飯を炊き上げることはできないものである。
【００１１】
また、今日のテレビ番組や新聞、雑誌、パンフレット等で開示されている圧力鍋は、料理が手際良くできる等と宣伝されていると共に、圧力鍋に関する特許出願が多数開示されている。
【００１２】
そのため、多くの主婦や調理をする飲食店にかかわる方々が購入している。
【００１３】
しかし、前記のように購入はしたものの市販の圧力鍋は、鍋本体と蓋体とが金属製のため、特に蓋体は高温と化し、手指が触れると火傷をする。そのため折角調理に良いとの評判のもとで高価の値段で購入した圧力鍋が、大半の方々が怖くて使えないとして放置しており、無用の長物となっているのが現状である。
【００１４】
さらに、テレビの通販番組で販売されている外国製の圧力鍋も前記した圧力鍋と同様に、鍋本体と蓋体とが共に高熱が熱伝導するものであって依然として火傷をするおそれがあった。
【００１５】
また、従来の金属製圧力鍋におけるクレームの大半が、第１に正常に取扱わなかったり、あるいは雑な扱いによるものであった。しかしそうであったとしても、この手の圧力鍋は、前記のように例え正常に扱わなかったり、あるいは粗雑な扱いをしたとしても、鍋本体に対し蓋体が常に正常な組立てになってしまうような仕組でなければ危険であるのに、このような仕組みになっていないのが実情である。本来圧力鍋は、鍋本体に対し蓋体が使用者の上手下手に関係なく正常な組立てになってしまう器具でなければならないのにかかる構造ではない。
【００１６】
さらに従来の圧力鍋の蓋体は、付属品が付設されているので、掃除をするのに煩雑であった。
【００１７】
また従来実用新案登録第３１００８０２号登録実用新案公報において、蓋を木製にしたかまど型電気・ガス炊飯器が開示されているが、この炊飯器は、炊飯用の釜３に木製の分厚い蓋１が載置されているだけで圧力鍋のように鍋本体と蓋体とを締め金具が不使用の構成であり、圧力鍋としての機能は有していない。
【００１８】
さらにアジア諸国と日本は米の文化、ヨーロッパアメリカはパンの文化で育ってきた。外国では大釜で飯を焚く文化はない。そして日本人ほど魚を食べる民族はなかったのだが、日本食の普及と共に世界中で魚を食べるようになった。
【００１９】
また今日世界は魚の争奪戦である魚が、骨ごと食べられるようになったら、子供やお年寄りが助かる肉より魚が身体に良いことは何人でも知っている。従って骨まで柔くなり調理の仕方で魚を無駄なく食べることが、世界で一番魚を食べる日本人の責務である。
【００２０】
さらに、従来実用新案登録第３１４５２６３号登録実用新案公報の羽釜式省エネ型ガス炊飯器が開示されているが、このガス炊飯器は羽釜２０に木蓋２２が使用され、この木蓋２２の上方に取手２４を備える重り２３が固定され前記木蓋２２に重り２３を載せるだけで、羽釜２０と木蓋２２とを締め金具を介して容易に離脱する構造をしたものではなく、圧力鍋としての機能は有していない。
【先行技術文献】
【特許文献】
【００２１】
【特許文献１】実用新案登録第３１００８０２号登録実用新案公報
【特許文献２】実用新案登録第３１４５２６３号登録実用新案公報
【発明の概要】
【発明が解決しようとする課題】
【００２２】
前記したとおり、従来市販売されている圧力鍋は、その構成する鍋本体と蓋体とが共に金属製であり、前記蓋体にも鍋本体が加熱された高温が熱伝導されて火傷のおそれがあった。
【００２３】
また前記した圧力鍋は、鍋本体に対する蓋体の嵌込み作業が煩雑でスムーズに嵌合しないケースもあり、組立作業が煩雑であった。そのため嵌合したいと思って炊飯をすると、鍋本体と蓋体との嵌合が正常に復帰せずにそのまま高圧となって蓋体を飛ばしてしまうという危険があった。
【００２４】
さらに従来の圧力鍋は、炊飯中に具の味付けを行うとしても、蓋体に設けた挿入孔を直接遮蔽しているキャップが高温高熱化をしているがために、手指でつかみにくく調理がスムーズに行かなかった。
【００２５】
また従来の圧力鍋は、鍋本体と蓋体との嵌合部分が、ネジ込み方式となっているものが多く、かかる嵌合操作方法をミスするとそのままとなり、自然正常が不可能であった。
【００２６】
さらに従来の圧力鍋は、鍋本体と蓋体との組立て作業が煩雑でお年寄りには極めて不便であった。
【００２７】
また従来の圧力鍋は、蓋体には鍋本体との接続部材が付設しているがために掃除が煩雑であった。
【００２８】
さらに従来の開示の特許文献１の蓋を木製にした、かまど型電気ガス炊飯器は、木製蓋３に対し単に載置しているだけで、両体を締付けるための器具は不使用であった。
【００２９】
また従来開示の特許文献２の羽釜式省エネ型ガス炊飯器の木蓋２２は羽釜２０とを締付ける器具は一切不使用であって、ただ前記木蓋２２の上方に重り２３を載せるだけであった。
【００３０】
しかるに本発明の圧力鍋は、鍋本体と蓋体との嵌合部分を、若干異なる位置に取付をしても、スムーズに嵌挿し正常な位置に嵌合される構造とした。
【００３１】
さらに本発明の圧力鍋は、圧力の密閉・開放や小さな開放を、つまみをスライドさせるだけで内部確認を可能にし、つまみも熱伝導がなく、火傷の心配をなくした。
【００３２】
また本発明の圧力鍋は、異常に圧力が上昇した場合、蓋体に装着中の安全装置が作動して安全装置の止め蓋が離脱するようにした。
【００３３】
さらに本発明の圧力鍋は、前記圧力鍋内の具の味付けを行う際や蓋体を取る前は、必ず圧力を開放してから蓋体を除去する構造にした。
【００３４】
また本発明の圧力鍋は、鍋本体と蓋体とを締付けたら外れることなく、且シンプルな構造にして、何人でも容易に操作ができるようにした。
【００３５】
さらに本発明の圧力鍋は、鍋本体と蓋体とを締付ける締付金具を取り外し、通常の鍋として併用することができるようにした。
【課題を解決するための手段】
【００３６】
上記課題を解決するための手段として、請求項１記載の発明は、周壁面部１につまみ部２及び引掛け部３を取着する有底形状にして、且開口部４を有する金属製鍋本体ａと、裏面部６に前記鍋本体ａの開口部４を構成する湾曲状の縁部５が嵌挿する嵌挿部７を形成し、且表面部８に突設する取手９の間にバンド部１０を介在せしめ、前記取手９以外の部位に形成する高温高圧蒸気を排出する貫通孔１２を遮蔽もしくは合致する小孔１３と大径孔１４とつまみ１５とを有し、且スライド自在にして高温高圧蒸気によっても容易に離脱しない方式で嵌挿可能な圧力調整板ｄを表面部８に形成せしめる厚みが十分な木製蓋体ｂとを別設し、前記バンド部１０の両端部に、緊締体ｅの下端部１５を接続し、且前記緊締体ｅの稍上方部に接続体ｆの上方部１６を接続し、且前記接続体ｆの下方部１７は前記鍋本体ａの引掛け部３に引掛可能な形状の係止部１８を形成し、前記鍋本体ａの開口部４に前記木製蓋体ｂを載置して前記木製蓋体ｂの嵌挿部７を前記鍋本体ａの湾曲状の縁部５に嵌挿せしめ、前記取手９間に介在のバンド部１０と接続する緊締体ｅと接続体ｆを介して前記鍋本体ａと木製蓋体ｂとを密閉し炊飯等をすることを特徴とする圧力鍋である。
【００３７】
上記課題を解決するための手段として、請求項２記載の発明は、前記周壁面部１に取着の引掛け部３は、前記つまみ部２の上方に位置せしめる圧力鍋である。
【００３８】
上記課題を解決するための手段として、請求項３記載の発明は、前記木製蓋体ｂは堅くて強く且型くずれしない性質を有する欅材もしくは樫材を主として使用する圧力鍋である。
【００３９】
上記課題を解決するための手段として、請求項４記載の発明は、前記木製蓋体ｂの裏面部６に形成する嵌挿部７は、稍逆Ｖ形状もしくは稍逆Ｕ形状もしくはП形状とする圧力鍋である。
【００４０】
上記課題を解決するための手段として、請求項５記載の発明は、前記木製蓋体ｂの裏面部６に形成する嵌挿部７は、断面形状が稍逆Ｕ形状にして、且Ｕ形状の中、外側方の長さを内側方の長さよりも短く形成せしめる圧力鍋である。
【００４１】
上記課題を解決するための手段として、請求項６記載の発明は、前記取手９は、平行状に所定の間隔を設け２枚立設すると共に、前記２枚の取手９の側壁部９ａに所定間隔おきに貫通孔９ｂを同一の高さにして、且対向状に形成し、前記貫通孔９ｂ内に押え杆９ｃを出入自在に挿入し、前記バンド部１０の上面を押える圧力鍋である。
【００４２】
上記課題を解決するための手段として、請求項７記載の発明は、前記バンド部１０は、薄い金属板製とする圧力鍋である。
【００４３】
上記課題を解決するための手段として、請求項８記載の発明は、前記安全装置は、前記木製蓋体ｂに形成する排出孔１１を遮蔽するキャップ１９と前記キャップ１９を押圧する押圧弁２０と鎖２２a付き固定部２１とからなる安全装置ｃを有し、前記固定部２１を前記蓋体ｂの表面部８に取着せしめる圧力鍋である。
【００４４】
上記課題を解決するための手段として、請求項９記載の発明は、前記圧力調整板ｄは、前記蓋体ｂの表面部８に突設の取手９に対し直交状に形成する蟻溝２２内にスライド可能にする圧力鍋である。
【００４５】
上記課題を解決するための手段として、請求項１０記載の発明は、前記圧力調整板ｄは、裏面部２３に内側方にくぼせた凹部２４を形成せしめる圧力鍋である。
【００４６】
上記課題を解決するための手段として、請求項１１記載の発明は、前記接続体ｆを接続する前記緊締体ｅは、前記鍋本体ａと前記蓋体ｂとの密閉時に前記緊締体ｅが前記バンド部１０の表面部に密着状態となる圧力鍋である。
【００４７】
上記課題を解決するための手段として、請求項１２記載の発明は、前記バンド部１０は、裏面部１０ａに所定間隔をおいて突起部２５を形成し、前記木製蓋体ｂの表面部８に前記突起部２５が嵌挿する凹部２６を形成し、前記木製蓋体ｂと前記バンド部１０とを接続し固定せしめる圧力鍋である。
【発明の効果】
【００４８】
請求項１に記載の発明は、周壁面部につまみ部及び引掛け部を取着する有底形状にして、且開口部を有する金属製鍋本体と、裏面部に前記鍋本体の開口部を構成する湾曲状の縁部が嵌挿する嵌挿部を形成し、且表面部に突設する取手の間にバンド部を介在せしめ、前記取手以外の部位に形成する高温高圧蒸気を排出する貫通孔を遮蔽もしくは合致する小孔と大径孔とつまみ部とを有し、且スライド自在にして高温高圧蒸気によっても容易に離脱しない方式で嵌挿可能な圧力調整板を表面部に形成せしめる厚みが十分な木製蓋体とを別設し、前記バンド部の両端部に、緊締体の下端部を接続し、且前記緊締体の稍上方部に接続体の上方部とを接続し、且前記接続体の下方部は前記鍋本体の引掛け部に引掛可能な形状の係止部を形成し、前記鍋本体の湾曲状の開口部に前記木製蓋体を載置して前記木製蓋体の嵌挿部を前記鍋本体の縁部に嵌挿せしめ、前記取手間に介在のバンド部と接続する緊締体と接続体を介して前記鍋本体と木製蓋体とを密閉し炊飯等をする圧力鍋なので、鍋本体と蓋体との嵌合部分を、若干異なる位置に取付をしても、正常な位置にスムーズに嵌合される構造にして何人も確実にセットできる利点がある。
【００４９】
さらに本発明の圧力鍋は、蓋体を木製にしたことによってつまみへの熱伝導が殆んどなく、そのため火傷の心配をなくすると共に、圧力調整板に圧力の密閉や開放を、取着のつまみをスライドさせるだけの簡単な操作で処理可能にし熱伝導を受けずに火傷の心配もない利点を有している。
【００５０】
また本発明の圧力鍋は、金属製鍋本体の開口部を構成する縁部の形状をアール付きのいわゆる湾曲状にしたので、前記木製蓋体の嵌挿部に対しスムーズに挿入できる利点を有している。
【００５１】
さらに本発明の圧力鍋は、前記圧力鍋内の具の味付け等を行う際に、前記圧力鍋調整板を操作し高温高熱の圧力を開放してから蓋体を除去して行うようにしたので、安全に操作できる利点を有している。
【００５２】
また本発明の圧力鍋は、鍋本体と蓋体とを締付ける金具を締めつけたら外れることなく、且シンプルな構造にして、何人でも容易に操作ができるようにした。
【００５３】
さらに本発明の圧力鍋は、鍋本体と蓋体とを締付ける締付金具を取り外し、通常の鍋として併用することができる一石二鳥の利点を有している。
【００５４】
請求項２に記載の発明は、前記周壁面部に取着の引掛け部は、前記つまみ部の上方に位置せしめる圧力鍋なので、蓋本体に蓋体を載せ且嵌挿し、セットできる利点を有している。
【００５５】
さらに本発明は請求項１に記載の発明と同じ効果を有している。
【００５６】
請求項３に記載の発明は、前記木製蓋体は堅くて強く且型くずれしない性質を有する欅材もしくは樫材を主として使用する圧力鍋なので、蓋体は長期間変形することなく、製品寿命も長く保持でき経済的である。
【００５７】
さらに本発明は請求項１又は同２に記載の発明と同じ効果を有している。
【００５８】
請求項４に記載の発明は、前記木製蓋体の裏面部に形成する嵌挿部は、稍逆Ｖ形状もしくは稍逆Ｕ形状もしくはП形状とする圧力鍋なので、鍋本体に蓋体を載せてやると、嵌挿部を形成する内側突出部が、鍋本体の開口部内に滑り落ちるようにスムーズに嵌挿するため、蓋体と鍋本体とは簡単且確実に嵌挿できる利点がある。
【００５９】
さらに本発明は請求項１又は同２又は同３に記載の発明と同じ効果を有している。
【００６０】
請求項５に記載の発明は、前記木製蓋体の裏面部に形成する嵌挿部は、断面形状が稍逆Ｕ形状にして、且Ｕ形状の中、外側方の長さを内側方の長さよりも短く形成せしめる圧力鍋なので、請求項１又は同２又は同３又は同４に記載の発明と同じ効果を有している。
【００６１】
請求項６に記載の発明は、前記取手は、平行状に所定の間隔を設け２枚立設すると共に、前記２枚の取手の側壁部に所定間隔おきに貫通孔を同一の高さにして、且対向状に形成し、前記貫通孔内に押え杆を出入自在に挿入し、前記バンド部の上面を押える圧力鍋なので、前記バンド部のスライドを未然に防止せしめる利点を有している。
【００６２】
さらに本発明は、請求項１又は同２又は同３又は同４又は同５に記載の発明と同じ効果を有している。
【００６３】
請求項７に記載の発明は、前記バンド部は、薄い金属板製とする圧力鍋なので、請求項１又は同２又は同３又は同４又は同５又は同６に記載の発明と同じ効果を有している。
【００６４】
請求項８に記載の発明は、前記木製蓋体に形成する排出孔を遮蔽するキャップと前記キャップを押圧する押圧弁と鎖付き固定部とからなる安全装置を有し、前記固定部を前記蓋体の表面部に取着せしめる圧力鍋なので、請求項１又は同２又は同３又は同４又は同５又は同６又は同７に記載の発明と同じ効果を有している。
【００６５】
さらに本発明は、所定の高温高圧となると、自動的に前記キャップが遮蔽状態から開放されて、前記高温高圧の蒸気を発散させる。そのため調理人が安全安心して料理をすることができる。
【００６６】
請求項９に記載の発明は、前記圧力調整板は、前記蓋体の表面部に突設の取手に対し直交状に形成する蟻溝内にスライド可能にする圧力鍋なので、圧力調整板のスライドがスムーズに移動し、且容易に離脱しない利点を有している。
【００６７】
さらに本発明は、請求項１又は同２又は同３又は同４又は同５又は同６又は同７又は同８に記載の発明と同じ効果を有している。
【００６８】
請求項１０に記載の発明は、前記圧力調整板は、裏面部に内側方にくぼせた凹部を形成せしめる圧力鍋なので、蓋体に形成の排出孔を常時密閉する部位なので、木は膨張することを予想して、凹ませておき、仮に膨出してもスライドが軽くスムーズにできる利点を有している。
【００６９】
さらに本発明は、請求項１又は同２又は同３又は同４又は同５又は同６又は同７又は同８又は同９に記載の発明と同じ効果を有している。
【００７０】
請求項１１に記載の発明は、前記接続体を接続する前記緊締体は、前記鍋本体と前記蓋体との密閉時に前記緊締体が前記バンド部の表面部に密着状態となす圧力鍋なので、蓋体とバンド部とが容易に離脱したりしない。
【００７１】
さらに本発明は、請求項１又は同２又は同３又は同４又は同５又は同６又は同７又は同８又は同９又は同１０に記載の発明と同じ効果を有している。
【００７２】
請求項１２に記載の発明は、上記課題を解決するための手段として、請求項１２記載の発明は、前記バンド部は、裏面部に所定間隔をおいて突起部を形成し、前記木製蓋体の表面部に前記突起部が嵌挿する凹部を形成し、前記木製蓋体と前記バンド部とを接続し固定せしめる圧力鍋なので、バンド部が容易に離脱しない利点を有している。
【００７３】
さらに本発明は、請求項１又は同２又は同３又は同４又は同５又は同６又は同７又は同８又は同９又は同１０又は同１１に記載の発明と同じ効果を有している。
【図面の簡単な説明】
【００７４】
【図１】本発明圧力鍋の正面図である。
【００７５】
【図２】同鍋本体に取着する引掛け部とつまみ部の斜視図である。
【００７６】
【図３】同圧力鍋の平面図である。
【００７７】
【図４】Ａ−Ａ線縦断面図である。
【００７８】
【図５】図４における圧力調整板をスライドさせた状態の一部切欠縦断面図である。
【００７９】
【図６】同圧力鍋の一部切欠拡大正面図である。
【００８０】
【図７】図６におけるａ，ｂ，ｃの中、ａ部分の一部切欠拡大縦断面図である。
【００８１】
【図８】図６におけるｂ部分の一部切欠拡大縦断面図である。
【００８２】
【図９】図６におけるｃ部分の一部切欠拡大縦断面図である。
【００８３】
【図１０】同圧力鍋の緊締体と接続体の側面図である。
【００８４】
【図１１】１０における緊締体と接続体の使用状態を示す一部切欠拡大左側面図である。
【００８５】
【図１２】図１０の部材をもって鍋本体と蓋体とをセットした状態の一部切欠正面図である。
【００８６】
【図１３】図１２における一部切欠拡大平面図である。
【００８７】
【図１４】安全装置の平面図である。
【００８８】
【図１５】図１４の安全装置が取着されている一部切欠拡大縦断面図である。
【００８９】
【図１６】安全装置と圧力調整板とをセットした蓋体の一部切欠縦断面図である。
【００９０】
【図１７】安全装置の一部が隔離した状態の蓋体の一部切欠縦断面図である。
【００９１】
【図１８】バンド部の一部切欠拡大正面図である。
【００９２】
【図１９】前記バンド部の突起部が嵌挿する凹部を形成した部位の蓋体の一部切欠拡大縦断面図である。
【発明を実施するための形態】
【００９３】
本発明の請求項１〜１２に記載の発明に関する実施の形態は共通しているので以下のとおり一括して説明する。
【００９４】
図において、ａは本発明圧力鍋を構成する金属製鍋本体（以下鍋本体という。）であり以下の構成からなっている。
【００９５】
前記鍋本体ａは、周壁面部１につまみ部２及び引掛け部３を取着する有底形状にして、且開口部４を有する。
【００９６】
さらに前記引掛け部３とつまみ部２は、周壁面部１の左右両サイドに対称的にしかも前記引掛け部３は前記つまみ部２の上方に位置せしめ取着する。
【００９７】
そして前記鍋本体ａには、図面上図示していないが握り柄を取着してもよい。
【００９８】
また前記鍋本体ａの大きさは限定しないので多種類のものを使用する。
【００９９】
５は前記鍋本体ａの開口部４を形成する湾曲状の縁部である。
【０１００】
図においてｂは裏面部６に前記鍋本体ａの開口部４を構成する湾曲状の縁部５が嵌挿する嵌挿部７を有する木製蓋体である。そして表面部８には取手９を容易に離脱しないように立設する。
【０１０１】
そして前記取手９は２本を薄い金属板製バンド部１０が介在できるように所定の間隔を設け立設する。
【０１０２】
前記バンド部１０の形状は、前記木製蓋体ｂの全径と同程度もしくは若干短目にて形成する。そして、前記２枚の取手９の側壁部９ａに所定間隔おきに貫通孔９ｂを同一の高さにして、且対向状に形成する。前記貫通孔９ｂ内に押え杆９ｃを出入り自在に挿入し、前記バンド部１０の上面を押えてやる。そのため前記バンド部１０が下方の木製蓋体ｂとの離脱を防止できる。
【０１０３】
そして前記バンド部１０は、裏面部１０ａに所定間隔をおいて突起部２５を２個形成する。２６は前記蓋体ｂの表面部８に所定の間隔をおいて２個形成する凹部であり、前記突起部２５が嵌挿して前記バンド部１０が前記木製蓋体ｂに確実に固定できる。そして前記突起部２５は嵌脱自在である。
【０１０４】
図においてｃは前記木製蓋体ｂの表面部８の所定個所に取着する安全装置であり、以下の構成からなっている。
【０１０５】
この安全装置ｃは、前記木製蓋体ｂの所定個所に設けた高温高圧蒸気の排出孔１１を遮蔽するためのものである。
【０１０６】
そして前記安全装置ｃは、前記排出孔１１を遮蔽するキャップ１９と前記キャップ１９を押圧する押圧弁２０を有する鎖２１a付き固定部２１とからなっている。そして前記固定部２１は前記蓋体ｂの表面部８に取着する。
【０１０７】
図においてｄは圧力調整板であり、誤差が生じない固い材質の黒檀材もしくは紫檀材を使用して形成してもよい。
【０１０８】
前記圧力調整板ｄは、前記蓋体ｂの表面部８の中心部に、立設せしめる取手９と直交するスライド自在な構造にて形成する。
【０１０９】
このようにスライドさせながら容易に離脱しない嵌合状態とするのに、蟻溝２２を施してやる。かくして前記蓋体ｂと前記圧力調整板ｄは、前記したように材質が固く耐熱性と耐水性が大きいので、長時間使用してもスライドがスムーズである。
【０１１０】
前記圧力調整板ｄは前記蓋体ｂに形成の高温高圧蒸気の排出孔１１とは別設する貫通孔１２を遮蔽もしくは合致させる機能を有している。
【０１１１】
前記のように遮蔽もしくは合致せしめるための小孔１３と大径孔１４とつまみ部１５とをもって形成する。
【０１１２】
さらに前記圧力調整板ｄの裏面部２３に内側方にくぼませた凹部２４を形成する。この凹部２４は前記木製蓋体ｂの貫通孔１２と合致させて前記貫通孔１２を遮蔽する部位に位置している。
【０１１３】
つぎに前記木製蓋体ｂの裏面部６に形成する嵌挿部７について説明する。
【０１１４】
前記木製蓋体ｂの裏面部６に形成する嵌挿部７は、稍逆Ｖ形状もしくは稍逆Ｕ形状もしくはП形状とする。
【０１１５】
さらに前記嵌挿部７は、縦断面形状が稍逆Ｕ形状にして、且Ｕ形状の中、外側方の長さを内側方の長さよりも短く形成せしめる。
【０１１６】
前記のように嵌挿部７が形成されることによって、前記嵌挿部７の内側部は裏面突出部７ａが突設される。
【０１１７】
この裏面突出部７ａが前記鍋本体ａの開口部４の縁部５内に嵌込みさえすれば前記縁部５が前記嵌挿部７内にスムーズに滑り込むようにして確実に嵌挿する。
【０１１８】
前記圧力調整板ｄは、つまみ部１５をつかみスライドさせると、固定状態の貫通孔１２に対し、小孔１３と合致したり、あるいはスライドによっては、大径孔１４と凹部２４とが合致する。
【０１１９】
さらに種々の調理である炊飯もしくは魚の骨等が柔かくして食べ易くするための圧力鍋として利用するには、調理材の種類によって調理時間が異なる。例えば一例としてご飯炊きの場合、最初ガス等を点火し、所定時間経過すると鍋本体ａ内で煮沸状態となって貫通孔１２と合致する小孔１３から高温高圧の湯気が噴出する。そして所定時間を経過したところで、前記圧力調整板ｄをスライドさせて大径孔１４と貫通孔１２とを合致させ高温高圧の湯気を開放してやる。しかる後前記圧力調整板ｄをスライドさせて前記貫通孔１２と凹部２４とを合致させ湯気の噴出をストップさせる。いわゆるむらし状態にする。所定時間後蓋体ｂを取り除けばおいしいご飯が炊き上げられている。
【０１２０】
さらに本発明の圧力鍋は、魚の骨を柔かくしておいしく食べるための調理法は前記のような炊飯の場合と基本的には変らない。
【０１２１】
前記の調理法についてその具体例を示すと、前記鍋本体ａ内に所定の食材である魚を丸ごともしくは切り身にしたものを入れて、セットしガスを点火する。そのとき貫通孔１２と前記圧力調整板ｄの小孔１３とを合致しておく。そして所定時間合致した状態にしておくと、湯気が前記小孔１３より勢い良く噴出する。かかる噴出時間は食材に応じて調整する。例えば５〜１０分間そのままにしておく。そして所定時間が経過したら、大径孔１４と貫通孔１２とを合致させ、開放させて湯気を排出する。そして前記貫通孔１２と凹部２４とを合致し、むらし状態にする。所定時間後蓋体ｂを取り除いてやると、骨まで柔かい魚をおいしく食べることができる。
【０１２２】
上記のとおり、本発明の圧力鍋は、前記の圧力調整板ｄが生命線であり、これのスライド操作によって、種々の食材の調理ができる利点を有している。
【０１２３】
図においてｅは緊締体であり、ｆは前記緊締体ｅと接続する接続体であり、両者の関係と前記バンド部１０との関係を説明すると以下のとおりである。
【０１２４】
前記バンド部１０の両端部に、緊締体ｅの下端部１５を接続し、且前記緊締体ｅの稍上方部に接続体ｆの上方部１６と接続する。そして前記接続体ｆの下方部１７は前記鍋本体ａの引掛け部３に引掛け可能な形状の係止部１８を形成する。
【０１２５】
そして、前記鍋本体ａの開口部４に前記木製蓋体ｂを載置し、前記木製蓋体ｂの嵌挿部７を前記鍋本体ａの縁部５に嵌挿せしめた後、前記取手９間に介在のバンド部１０と接続する緊締体ｅと接続体ｆを介して前記鍋本体ａと木製蓋体ｂとを密閉する。
【０１２６】
前記木製蓋体ｂは、堅くて強く且型くずれしない性質を有する欅材もしくは樫材を主として使用する。
【０１２７】
さらに、前記のようにセットされた前記接続体ｆを接続する前記緊締体ｅは、前記鍋本体ａと前記蓋体ｂとの密閉時に、前記緊締体ｅが前記バンド部１０の表面部に密着状態となって容易に離脱しないので使用上安心安全である。
【０１２８】
前記のようにセットされた鍋本体ａと木製蓋体ｂとは、バンド部１０と緊締体ｅと接続体ｆとによって、簡単にして、且確実にセットされると共に、さらに炊飯中に高温高圧蒸気による異常な上昇が発生しても、前記安全装置ｃが作動して未然に危険を防止し、さらに炊飯中に具等を鍋本体ａ内に挿入するときは、前記圧力調整板ｄをスライドせしめ、高温高圧蒸気を排出せしめた後、挿入することが可能にしたので、安心安全に炊飯等ができる利点がある。
【０１２９】
さらに、前記圧力調整板ｄは、蟻溝２２方式によってスライドをさせるので、炊飯中に高温高圧蒸気によって前記調整板ｄが押上げられて離脱したりしない利点がある。
【０１３０】
また前記蓋体ｂは、熱伝導率が著しく低いので、圧力調整板ｄのつまみ部１５が、熱伝導による高温化をすることなく、そのため火傷のおそれがない。
【０１３１】
前記木製蓋体ｂは、主として欅材もしくは樫材を使用するので、熱伝導も低く、そのため付属取付け部材の高温化による火傷のおそれもない。従って安全安心して何人も容易に調理炊飯ができる。
【産業上の利用可能性】
【０１３２】
金属製鍋本体の周壁面部につまみ部と引掛け部を取着した金属製鍋本体と、固くて形くずれしない、比較的厚い木材製の蓋体の裏面部に前記鍋本体の縁部が嵌挿する嵌挿部を形成し、前記鍋本体に前記蓋体を載置し、バンド部と接続体を接続する緊締体とによって、前記鍋本体と蓋体とを固くセットするものである。
【符号の説明】
【０１３３】
ａ        鍋本体
ｂ        木製蓋体
ｃ        安全装置
ｄ        圧力調整板
ｅ        緊締体
ｆ        接続体
１        周壁面部
２        つまみ部
３        引掛け部
４        開口部
５        縁部
６        裏面部
７        嵌挿部
７ａ      裏面突出部
８        表面部
９        取手
９ａ      側壁部
９ｂ      貫通孔
９ｃ      押え杆
１０      バンド部
１０ａ    裏面部
１１      排出孔
１２      貫通孔
１３      小孔
１４      大径孔
１５      つまみ部
１７      下方部
１８      係止部
１９      キャップ
２０      押圧弁
２１      固定部
２１a     鎖
２２      蟻溝
２３      裏面部
２４      凹部
２５      突起部
２６      凹部
【図１】
2010178791.tif 000003
【図２】
2010178791.tif 000004
【図３】
2010178791.tif 000005
【図４】
2010178791.tif 000006
【図５】
2010178791.tif 000007
【図６】
2010178791.tif 000008
【図７】
2010178791.tif 000009
【図８】
2010178791.tif 000010
【図９】
2010178791.tif 000011
【図１０】
2010178791.tif 000012
【図１１】
2010178791.tif 000013
【図１２】
2010178791.tif 000014
【図１３】
2010178791.tif 000015
【図１４】
2010178791.tif 000016
【図１５】
2010178791.tif 000017
【図１６】
2010178791.tif 000018
【図１７】
2010178791.tif 000019
【図１８】
2010178791.tif 000020
【図１９】
2010178791.tif 000021